(57)【要約】  磁気マイナスイオン治療システム（１）は、磁気を発生する磁気発生装置（３）と、マイナスイオンを発生するマイナスイオン発生装置（４）と、前記磁気発生装置（３）と前記マイナスイオン発生装置（４）とが載置された治療台（２）と、を備えている。磁気発生装置（３）によって発生される磁気と、マイナスイオン発生装置（４）によって発生されるマイナスイオンとは、同時に発生される。
2016031090.tif 000002
【特許請求の範囲】
【請求項１】
磁気を発生する磁気発生装置（３）と、
マイナスイオンを発生するマイナスイオン発生装置（４）と、
前記磁気発生装置（３）と前記マイナスイオン発生装置（４）とが載置された治療台（２）と、を備え、
前記磁気発生装置（３）によって発生される磁気と、前記マイナスイオン発生装置（４）によって発生されるマイナスイオンとは、同時に発生されることを特徴とする磁気マイナスイオン治療システム。
【請求項２】
前記治療台（２）には、当該治療台（２）上に複数並設された治療台設置磁気発生装置（３１，３）と、
前記治療台設置磁気発生装置（３１，３）上に敷設された絶縁性材料から成る絶縁マット（５２）と、
前記絶縁マット（５）上に敷設されて予め設定された電圧の電力を前記マイナスイオン発生装置（４）に供給することによって発生されたマイナスイオンを患者（Ｍ）の体内に注入させるためのマイナスイオンマット（４１）と、が配置されていることを特徴とする請求項１に記載の磁気マイナスイオン治療システム。
【請求項３】
前記治療台（２）の上には、アーチ状の構造物を複数直列に並べて構成されて、複数の前記磁気発生装置（３２，３）が設けられたトンネル状構造物（６）が載置され、
前記トンネル状構造物（６）は、前記治療台（２）の幅方向の端部に設けられたレール部（２３，２４）の上に、移動自在に載置された複数のアーチ状分割体（６ａ）から成ることを特徴とする請求項１または請求項２に記載の磁気マイナスイオン治療システム。
【請求項４】
前記複数のアーチ状分割体（６ａ）は、小型アーチ状構造物（６１，６２，６３，６４）と、
前記小型アーチ状構造物（６１〜６４）の幅方向の長さ、及び、高さよりも大きく形成されて、前記小型アーチ状構造物（６１〜６４）の外側を前記治療台（２）に移動自在に配置された大型アーチ状構造物（６５）と、から成り、
前記小型アーチ状構造物（６１〜６４）、または、前記大型アーチ状構造物（６５）を移動させることによって、患者（Ｍ）が前記トンネル状構造物（６）内に入り込む入口（６ｂ）が形成されることを特徴とする請求項３に記載の磁気マイナスイオン治療システム。
【請求項５】
前記治療台（２）の長手方向の一端部側には、前記患者（Ｍ）の頭部（Ｍａ）を入れる開口部（７ｂ）を有し、前記患者（Ｍ）の頭部（Ｍａ）が挿入される中空体（７）と、
前記中空体（７）の外周面（７ａ）に設けられた頭部用磁気発生装置（３３）と、が配置されていることを特徴とする請求項１または請求項２に記載の磁気マイナスイオン治療システム。
【請求項６】
前記治療台（２）の長手方向の他端部側には、前記患者（Ｍ）の足部（Ｍｅ）に向けて磁気を発生するための足部用磁気発生装置（３５）と、
前記前記治療台（２）の長手方向の他端部に立設されて前記足部用磁気発生装置（３５）を保持する足部用磁気発生装置支持部材（２７）と、が配置されていることを特徴とする請求項１または請求項２に記載の磁気マイナスイオン治療システム。
【請求項７】
請求項１に記載の前記磁気マイナスイオン治療システム（１）を利用した治療方法であって、
前記治療台（２）に載る患者（Ｍ）が、導電性の布で縫製した導電性衣類（９Ｂ）を被着した状態で、前記磁気発生装置（３）と前記マイナスイオン発生装置（４）とが駆動されることを特徴とする磁気マイナスイオン治療システムを利用した治療方法。
【発明の詳細な説明】
【技術分野】
【０００１】
本発明は、磁気とマイナスイオンとを発生させて患者を治療する磁気マイナスイオン治療システム及びそれを利用した治療方法に関する。
【背景技術】
【０００２】
従来、磁気を利用した磁気治療装置としては、例えば、巻回された電磁コイルに交番電圧を加えることによって磁界を発生させる磁界発生部をマットに設けて、磁界を人体に与えることで、血行障害や、肩こりを治療する変動磁界式磁気治療装置が知られている（例えば、特許文献１参照）。【０００３】
また、マイナスイオンを発生させて、新陳代謝の活性化、自立神経の機能向上、血液の造血・浄化作用の向上を図った装置としては、例えば、銅繊維製フィルター材に通電させることによって、マイナスイオンを発生するマイナスイオン発生シートを敷マット本体に取り付けた敷マットが知られている（例えば、特許文献２参照）。【０００４】
また、その他、マイナスイオンを発生する繊維としては、マイナスイオン発生ポリエステル繊維や、マイナスイオン発生アクリル繊維が知られている（例えば、特許文献３，４参照）。
【先行技術文献】
【特許文献】
【０００５】
【特許文献１】特公昭６２−６８２５号公報
【特許文献２】特許第３４１５８２１号公報
【特許文献３】特許第４８２４１２５号公報
【特許文献４】特許第３７７６８４２号公報
【発明の概要】
【発明が解決しようとする課題】
【０００６】
しかし、特許文献１〜４に開示された磁気治療装置、敷きマット、及び、マイナスイオン発生繊維は、効果があることは知られているものの、いずれも効果が弱いという問題点があった。このため、さらに、効く磁気治療装置や、マイナスイオン治療装置が要望されている。【０００７】
そこで、本発明は、前記実情に鑑み創案されたものであり、従来の磁気治療装置、及び、マイナスイオン治療装置よりも、さらに、治療効果がある磁気マイナスイオン治療システム及びそれを利用した治療方法を提供することを課題とする。
【課題を解決するための手段】
【０００８】
前記課題を解決するために、本発明に係る磁気マイナスイオン治療システムは、磁気を発生する磁気発生装置と、マイナスイオンを発生するマイナスイオン発生装置と、前記磁気発生装置と前記マイナスイオン発生装置とが載置された治療台と、を備え、前記磁気発生装置によって発生される磁気と、前記マイナスイオン発生装置によって発生されるマイナスイオンとは、同時に発生されることを特徴とする。【０００９】
このような構成によれば、磁気マイナスイオン治療システムは、磁気発生装置によって発生される磁気と、マイナスイオン発生装置によって発生されるマイナスイオンとを、同時に発生させて患者を治療することにより、磁気の効果とマイナスイオンの効果と相乗させて発揮させるので、治療効果を倍増させることができる。このため、磁気マイナスイオン治療システムは、従来の磁気治療装置、及び、マイナスイオン治療装置よりも、さらに、治療効果を向上させて効くようにすることができる。【００１０】
また、前記治療台には、当該治療台上に複数並設された治療台設置磁気発生装置と、前記治療台設置磁気発生装置上に敷設された絶縁性材料から成る絶縁マットと、前記絶縁マット上に敷設されて予め設定された電圧の電力を前記マイナスイオン発生装置に供給することによって発生されたマイナスイオンを患者の体内に注入させるためのマイナスイオンマットと、が配置されていることが好ましい。【００１１】
このような構成によれば、磁気マイナスイオン治療システムは、マイナスイオンマット上に仰向け等の状態で寝た患者に対して、マイナスイオンマットからマイナスイオンを与えると同時に、治療台設置磁気発生装置から発生された磁気を与えることによって、マイナスイオンと磁気との相乗効果で、従来の磁気治療装置、及び、マイナスイオン治療装置よりも、さらに、治療効果がある治療を行うことができる。【００１２】
また、前記治療台の上には、アーチ状の構造物を複数直列に並べて構成されて、複数の前記磁気発生装置が設けられたトンネル状構造物が載置され、前記トンネル状構造物は、前記治療台の幅方向の端部に設けられたレール部の上に、移動自在に載置された複数のアーチ状分割体から成ることが好ましい。【００１３】
このような構成によれば、トンネル状構造物は、アーチ状の構造物を複数直列に並べて構成されていることにより、治療台上に仰向け等の状態で寝た患者の全身を覆うように磁気発生装置を配置して、患者の全身に磁気を放射して治療を行うことができる。【００１４】
また、前記複数のアーチ状分割体は、小型アーチ状構造物と、前記小型アーチ状構造物の幅方向の長さ、及び、高さよりも大きく形成されて、前記小型アーチ状構造物の外側を前記治療台に移動自在に配置された大型アーチ状構造物と、から成り、前記小型アーチ状構造物、または、前記大型アーチ状構造物を移動させることによって、患者が前記トンネル状構造物内に入り込む入口が形成されることが好ましい。【００１５】
このような構成によれば、アーチ状分割体は、小型アーチ状構造物と、移動自在な大型アーチ状構造物とから成るので、大型アーチ状構造物を小型アーチ状構造物の上に重なるような位置に移動させることによって、患者がトンネル状構造物内に入り込む入口を形成することができる。このため、トンネル状構造物は、特別な入口を作製しなくても、容易に患者が入口からトンネル状構造物に出入りできるようにすることができる。【００１６】
また、前記治療台の長手方向の一端部側には、前記患者の頭部を入れる開口部を有し、前記患者の頭部が挿入される中空体と、前記中空体の外周面に設けられた頭部用磁気発生装置と、が配置されていることが好ましい。【００１７】
このような構成によれば、治療台上に仰向け等の状態で寝た患者は、頭部を中空体の中に入れて、頭部用磁気発生装置を駆動させれば、頭部用磁気発生装置から発生された磁気によって、効率よく患者の頭部を治療することができる。【００１８】
また、前記治療台の長手方向の他端部側には、前記患者の足部に向けて磁気を発生するための足部用磁気発生装置と、前記前記治療台の長手方向の他端部に立設されて前記足部用磁気発生装置を保持する足部用磁気発生装置支持部材と、が配置されていることが好ましい。【００１９】
このような構成によれば、治療台上に仰向け等の状態で寝た患者は、足部を足部用磁気発生装置に当接させるか、近接させることにより、足部用磁気発生装置から発生された磁気によって、効率よく患者の足部を治療することができる。【００２０】
また、本発明に係る磁気マイナスイオン治療システムを利用した治療方法は、前記治療台に載る患者が、導電性の布で縫製した導電性衣類を被着した状態で、前記磁気発生装置と前記マイナスイオン発生装置とが駆動されること特徴とする。【００２１】
このような構成によれば、治療台に載って治療を受ける患者は、導電性衣類を被着した状態で、磁気発生装置とマイナスイオン発生装置とによる磁気とマイナスイオンとによる治療を受けることにより、マイナスイオン及び磁気が、導電性衣類を通過して患者の身体に伝達されて身体に吸収され易くなるため、さらに、治療効果を向上させることができる。
【発明の効果】
【００２２】
本発明に係る磁気マイナスイオン治療システム及びそれを利用した治療方法によれば、従来の磁気治療装置、及び、マイナスイオン治療装置よりも、さらに、治療効果が向上されて効くようにすることができる。
【図面の簡単な説明】
【００２３】
【図１】本発明の実施形態に係る磁気マイナスイオン治療システムを示す概略縦断面図である。
【図２】トンネル状構造物を取り外した状態の磁気マイナスイオン治療システムを示す概略平面図である。
【図３】磁気マイナスイオン治療システムの分解斜視図である。
【図４】治療台上に仰向けで寝た患者の状態を示す分解斜視図である。
【図５】カバー部材を取り外した小型アーチ状構造物を示す図であり、（ａ）は斜視図、（ｂ）は縦断面図である。
【図６】カバー部材を取り外した大型アーチ状構造物を示す図であり、（ａ）は斜視図、（ｂ）は縦断面図である。
【図７】磁気マイナスイオン治療システムを示す図であり、（ａ）は使用時の状態を示す概略正面図、（ｂ）は大型アーチ状構造物を移動させて入口を形成させたときの状態を示す概略正面図である。
【図８】イオンパッド、導電性衣類及び非導電性衣類を示す分解平面図である。
【発明を実施するための形態】
【００２４】
次に、本発明の実施形態に係る磁気マイナスイオン治療システム及びそれを利用した治療方法の一例を図１〜図７を参照して説明する。なお、説明の便宜上、平面視して矩形の治療台の長さ方向を前後方向、幅方向を左右方向として説明する。
【００２５】
≪磁気マイナスイオン治療システム≫
図１に示すように、磁気マイナスイオン治療システム１は、磁気を発生する磁気発生装置３と、マイナスイオンを発生するマイナスイオン発生装置４と、磁気発生装置３とマイナスイオン発生装置４とが載置された治療台２と、治療台２の上に敷設されるクッション敷部材５１と、クッション敷部材５１の上に敷設される絶縁マット５２と、絶縁マット５２の上に敷設されるマイナスイオン調整用敷部材５３と、マイナスイオン調整用敷部材５３の上に敷設されたカバー用敷部材５４と、治療台２の上に載置されるトンネル状構造物６と、治療台２の前部側に載置される中空体７と、磁気発生装置３及びマイナスイオン発生装置４を制御する制御装置８と、を備えている。磁気マイナスイオン治療システム１は、磁気発生装置３によって発生される磁気と、マイナスイオン発生装置４によって発生されるマイナスイオンとが、制御装置８により、同時に発生されて、同時に停止されるようになっている。
【００２６】
≪治療台≫
図１に示すように、治療台２は、患者Ｍが仰向け等の状態で寝て治療するためのベッドであり、床に対して垂直に配置された４本の脚部２１と、４本の脚部２１の上端に水平に設けられた基台２２と、基台２２の左右の縁部にそれぞれ設けられたレール部２３，２４（図２参照）と、レール部２３，２４の外側に設けられたガイド部２５と、基台２２の前端部に立設された脳天用磁気発生装置支持部材２６と、基台２２の後端部に立設された足部用磁気発生装置支持部材２７と、を備えている。治療台２は、例えば、木製の部材によって、平面視して矩形のテーブル状に形成されている。
図３に示すように、治療台２の上には、治療台２上に複数並設された治療台設置磁気発生装置３１、クッション敷部材５１、絶縁マット５２、絶縁マット５の上に敷設されたマイナスイオンマット４１、マイナスイオン調整用敷部材５３、カバー用敷部材５４の順に配置されて、カバー用敷部材５４の上に患者Ｍが仰向け等の状態で寝るようになっている。
【００２７】
図３に示すように、脚部２１は、基台２２の下面の前後左右の端部に設けられている。脚部２１は、基台２２を支持するものであれば、その材質及び形状は、特に限定されない。
基台２２は、平面視して前後方向に長い矩形に形成された略厚板状部材から成り、例えば、木製の板材によって水平に形成されている。基台２２の中央部には、前後方向に向けて形成された４つの磁気発生装置設置部２２ａ，２２ｂが形成されている。
【００２８】
磁気発生装置設置部２２ａ，２２ｂは、治療台設置磁気発生装置３１（磁気発生装置３）が前後方向に複数並べた状態に配置するための設置スペースであり、治療台設置磁気発生装置３１が没入する深さに形成されている。各磁気発生装置設置部２２ａ，２２ｂは、前後方向に延設されて横方向に隣設された４つの溝から成り、各各磁気発生装置設置部２２ａ，２２ｂ間に、前後方向に延設された仕切板２２ｃが介在するように立設されている。
【００２９】
磁気発生装置設置部２２ａは、基台２２の中央部に横二列に形成された設置スペースであり、治療台２上に寝た患者Ｍの頭部Ｍａの下方から足部Ｍｅの下方に亘って形成されている。
磁気発生装置設置部２２ｂは、中央側の磁気発生装置設置部２２ａの左右外側に形成された溝であり、患者Ｍの肩部の下方から足首付近の下方に亘って形成されている。このため、磁気発生装置設置部２２ｂの前後方向の長さは、磁気発生装置設置部２２ａの前後方向の長さよりも短く形成されている。
仕切板２２ｃは、磁気発生装置設置部２２ａ及び磁気発生装置設置部２２ｂに立設された帯状の木製板材から成る。
【００３０】
図３に示すように、レール部２３，２４は、トンネル状構造物６の左右下端面が前後方向に摺動自在に載置される部位であり、基台２２の左右の後端部から前端部に亘って平行に延設されている。レール部２３，２４は、表面が平滑な帯状の板部材を、基台２２上の左右端部に載設して成る。レール部２３には、小型アーチ状構造物６１，６２，６３，６４の左右下端面がそれぞれ摺動自在に載置されている。レール部２４は、大型アーチ状構造物６５の左右下端面がそれぞれ摺動自在に載置される部位であり、前後端部に設けられた枠板２８，２８間のレール部２３の左右外側にそれぞれ隣設されている。
【００３１】
ガイド部２５は、レール部２４上を摺動するトンネル状構造物６が基台２２上から落下するのを防止する板状のガードレールである。ガイド部２５は、レール部２４の左右と外側から上方向に突出して設けられて、レール部２４に沿って前後方向に延設されている。
脳天用磁気発生装置支持部材２６は、脳天用磁気発生装置３４（磁気発生装置３）が取り付けられる厚板状部材であり、基台２２の前端中央部に立設されたヘッドボード状の木製部材から成る。この脳天用磁気発生装置支持部材２６には、横方向に向けて配置される脳天用磁気発生装置３４が上下３個隣接した状態に取り付けられている。
【００３２】
足部用磁気発生装置支持部材２７は、足部用磁気発生装置３５（磁気発生装置３）が取り付けられる厚板状部材であり、基台２２の後端中央部に立設された木製板部材から成る。この足部用磁気発生装置支持部材２７には、上方向に向けて斜め外側方向に傾けて設けられる足部用磁気発生装置３５が左右２個取り付けられている。
【００３３】
クッション敷部材５１は、治療台２上に多数並設された治療台設置磁気発生装置３１と、絶縁マット５２との間に介在されて、治療台設置磁気発生装置３１の凹凸面の段差を吸収したり、治療台設置磁気発生装置３１から発生される熱を遮断したりするために敷設されるクッション材である。クッション敷部材５１は、略布団状、あるいは、マットレス状のクッションから成り、ウレタン樹脂や、スポンジ、ゴム等の弾性材料によって形成されている。このクッション敷部材５１は、治療台２上の治療台設置磁気発生装置３１の上面の凹凸状態等によって必要に応じて適宜に敷設すればよく、凹凸が無い場合、無くても構わない。また、このクッション敷部材５１は、絶縁マット５２の上面に敷設してもよい。
【００３４】
≪絶縁マット≫
図３に示すように、絶縁マット５２は、クッション敷部材５１の上面を覆うように敷設されるマットである。絶縁マット５２は、例えば、絶縁樹脂や、絶縁ゴムによって形成された薄い矩形の平板状に形成された絶縁性材料から成り、治療台設置磁気発生装置３１（磁気発生装置３）が挿設された基台２２の上面全体をクッション敷部材５１を介在して敷設されている。
【００３５】
≪磁気発生装置≫
磁気発生装置３は、患者Ｍの身体全体に向けて主に磁気（交番磁気）を放射する装置であり、基台２２上に仰向けに寝た患者Ｍの背面側、正面側、頭部側及び足部側から患者Ｍに向けて磁気、あるいは、磁気及び振動を発生することができるようになっている。磁気発生装置３は、背面側から患者Ｍに向けて磁気及び振動を発生する治療台設置磁気発生装置３１と、正面側から患者Ｍに向けて磁気を発生するトンネル設置磁気発生装置３２と、頭部Ｍａの左右及び上部側から患者Ｍに向けて磁気を発生する頭部用磁気発生装置３３と、脳天（前）側から患者Ｍに向けて磁気を発生する脳天用磁気発生装置３４と、足部Ｍｅ（後）側から患者Ｍに向けて磁気を発生する足部用磁気発生装置３５と、を備えて構成されている。磁気発生装置３は、多数の磁気発生装置３を組み合わせて構成されていることによって、容量を大きくしている。各磁気発生装置３は、同一形状、同一構造のものから成り、それぞれ制御装置８の磁気用タイマ部８１（図１参照）に並列に接続されている。
【００３６】
磁気発生装置３は、例えば、電磁石に交流電流を流して、Ｎ極をＳ極が交互に入れ替わって磁力の強さが変化する交番磁場を形成する交流磁気治療機から成る。交流磁気治療機は、広範囲に磁場が発生して患者Ｍの全身に安定した強力な刺激を与えると共に、体の奥深くまで磁力線が届いて大きな治療効果があることが認められて、治療機器として厚生労働省の認可を受けている（文献名：「磁気治療が好き！心にも体にも優しい“免疫力も高まる”エネルギー療法」、著者：日下部史章、上村晋一、発行所：株式会社コスモの本、発行日:２０１３年１月３１日）。
また、磁気発生装置３は、Ｎ極またはＳ極の方向に瞬時的に磁力線が走るパルス磁場を形成するパルス磁気治療機であってもよい。
【００３７】
磁気発生装置３は、例えば、家庭用医療器具として肩こり、筋肉の疲れ、血行促進、装着部位のこり及び血行に効果、効用があることが認定されている市販のマグネタイザー（登録商標）を多数備えて成る。磁気発生装置３において、マグネタイザー（登録商標）は、例えば、ＳＴ型等の振動を伴う振動タイプ、あるいは、振動を伴わないスタンダード型の非振動タイプのものが使用される。この磁気発生装置３に使用されるマグネタイザー（登録商標）は、例えば、定格電圧が１００Ｖ、定格容量が１１０／９５ＡＶ、最大磁束密度が１２０ｍＴ±５％、磁束能力（磁力線の強さ）が３５０〜１８００ガウス（３５〜１８０ｍＴ）で、好ましくは、４００〜１２００ガウス（４０〜１２００ｍＴ）の交流磁気治療器である
【００３８】
＜治療台設置磁気発生装置＞
図３に示すように、治療台設置磁気発生装置３１は、基台２２上に仰向けの状態で寝た患者Ｍの背面側全体に向けて磁気及び振動を放す装置であり、各磁気発生装置設置部２２ａ，２２ｂに一列に配置された多数の磁気発生装置３から成る。各治療台設置磁気発生装置３１は、制御装置８を介して電源に接続されている。治療台設置磁気発生装置３１には、振動タイプのマグネタイザー（登録商標）を使用することが好ましい。
【００３９】
＜トンネル設置磁気発生装置＞
図５及び図６に示すように、トンネル設置磁気発生装置３２は、トンネル状構造物６の各アーチ状分割体６ａに形成された磁気発生装置収納部６ｄに内設された磁気発生装置３である。トンネル設置磁気発生装置３２は、縦断面視して略逆Ｕ字状に形成されたトンネル状構造物６に、例えば、五〜六箇所程度形成された磁気発生装置収納部６ｄにそれぞれ内設されて、患者Ｍの全身に対して正面側の上部、左右側部、左右斜め上部から磁気を放出するように設けられている。トンネル設置磁気発生装置３２には、非振動タイプのマグネタイザー（登録商標）を使用することが好ましい。なお、トンネル設置磁気発生装置３２において、患者Ｍの身体に接触させることが可能なトンネル状構造物６の下側部位に配置されるものは、振動タイプのマグネタイザー（登録商標）を使用してもよい。
【００４０】
＜頭部用磁気発生装置＞
図２〜図４に示すように、頭部用磁気発生装置３３は、患者Ｍの頭部Ｍａが挿入される中空体７の外周面７ａに設置された磁気発生装置３である。頭部用磁気発生装置３３は、略バケツ状に形成された中空体７の外周面７ａに、例えば、五箇所程度取り付けられて、患者Ｍの頭部Ｍａに対して正面側の上部、左右側部、左右斜め上部から磁気を放出するように設けられている。頭部用磁気発生装置３３には、非振動タイプのマグネタイザー（登録商標）を使用することが好ましい。
【００４１】
＜脳天用磁気発生装置＞
図３及び図４に示すように、脳天用磁気発生装置３４は、患者Ｍが基台２２上に仰向けの状態で寝た際に、頭部Ｍａの脳天側の位置に配置される磁気発生装置３である。脳天用磁気発生装置３４は、基台２２の前端部に立設された脳天用磁気発生装置支持部材２６に、例えば、三箇所程度設けられて、患者Ｍの頭部Ｍａの脳天部に対して上部、斜め上部及び側部から磁気を放出するように設けられている。
【００４２】
脳天用磁気発生装置３４は、使用用途によって振動タイプのマグネタイザー（登録商標）であっても、非振動タイプのマグネタイザー（登録商標）であっても構わない。脳天用磁気発生装置３４は、例えば、脳卒中等の患者Ｍに使用する場合、振動タイプのマグネタイザー（登録商標）を使用することが好ましい。振動タイプのマグネタイザー（登録商標）を使用した場合は、脳天用磁気発生装置３４の振動が中空体７に伝わるのを抑制する振動調整用のクッション材を脳天用磁気発生装置３４と中空体７との間、あるいは、中空体７の下側に配置させる必要がある。クッション材は、振動を伝え難く、磁気発生装置３から発生された熱を放熱する放熱性のよいものが望ましい。
【００４３】
＜足部用磁気発生装置＞
足部用磁気発生装置３５は、患者Ｍが基台２２上に仰向けの状態で寝た際に、患者Ｍの足部Ｍｅに向けて磁気を放射するための磁気発生装置３である。足部用磁気発生装置３５は、基台２２の後端部に立設された足部用磁気発生装置支持部材２７に、例えば、２個設けられて、患者Ｍの左右の足部Ｍｅに対して長手方向の後面（他端部）側から磁気を放出するのに適合した位置に配置されている。足部用磁気発生装置３５は、振動タイプのマグネタイザー（登録商標）であっても、非振動タイプのマグネタイザー（登録商標）であっても構わない。
【００４４】
このように、磁気発生装置３は、少なくとも磁気を発生するものであればよく、患者Ｍの身体に直接触れる部位に配置される磁気発生装置３は振動タイプのマグネタイザー（登録商標）を使用すると効果的であり、振動タイプのものが好ましい。しかし、振動タイプのマグネタイザー（登録商標）は、患者Ｍの病状や要望等によって、非振動タイプのものに適宜変更しても構わない。
また、患者Ｍの身体から離間された位置に配置される磁気発生装置３は、非振動タイプのマグネタイザー（登録商標）を使用することが好ましい。
【００４５】
≪マイナスイオン発生装置≫
マイナスイオン発生装置４は、マイナスイオンを患者Ｍの体内に注入させるマイナスイオンマット４１、及び、複数のイオンパッド４２と、イオンパッド４２に接続された電位発生器４３と、マイナスイオンマット４１の上に敷設されるマイナスイオン調整用敷部材５３と、マイナスイオン調整用敷部材５３の上に敷設されるカバー用敷部材５４と、を備えて構成されている。
【００４６】
＜マイナスイオンマット＞
図３に示すように、マイナスイオンマット４１は、制御装置８（図１参照）からの通電によってマイナスイオンを患者Ｍの体内に注入させる通電マットである。マイナスイオンマット４１は、基台２２よりも僅かに小さい幅及び長さの矩形に形成されて導電性の糸状部材を含む敷マット本体４１ａと、敷マット本体４１ａに設けられ導電体に接続された少なくとも２つ以上の接続端子４１ｂと、から主に構成されている。
【００４７】
敷マット本体４１ａは、例えば、基台２２よりも僅かに小さい幅及び長さの矩形に形成されて敷マット本体を構成する絶縁樹脂と、絶縁樹脂にインサートされた通電性糸と、絶縁樹脂に接着または絡み合わせた絶縁性布と、から構成されて、導電性に成っている。
なお、通電性糸は、電気を通すことによってマイナスイオンを患者Ｍに吸収させる細い部材であればよく、この他に、通電性の静電防止用ミシン糸（例えば、株式会社フジックス製の帯電防止機能付糸）や、細い銅繊維等の金属製糸を稠密に編んで、敷マット本体４１ａの前端部側から後端部側、あるいは、左端側から右端側に向かって蛇行するように適宜に配置したものであってもよい。
【００４８】
また、敷マット本体４１ａは、通電性の合成ゴムによって形成された導電性ゴムマットでもよい。その導電性ゴムマットは、例えば、表面抵抗率が１×１０８〜１０１０Ωのゴムシート層と、表面抵抗率が１×１０３〜１０５Ωのゴムシート層と、を積層した厚さが２ｍｍ程度の導電性マット（例えば、株式会社エンジニア製の「導電性カラーマット」ＺＣＭ−０２）から成る。
【００４９】
接続端子４１ｂは、敷マット本体４１ａの外周部に配置されている通電性糸に、導電性の金属から成るホック、あるいは、止めピンによって接続されている。接続端子４１ｂは、一方側がコードを介して電位発生器４３のアース端子に接続されて、他方側が接地されている。コードは、接続端子４１ｂ側がマイナス側、制御装置８側がプラス側になるように接続された単線のコ−ドから成る。その単線のコードは、例えば、敷マット本体４１ａの前端部及び後端部の二箇所に接続された二本、あるいは、敷マット本体４１ａの複数箇所に接続された二本以上の本数から成る。
【００５０】
図３に示すように、マイナスイオン調整用敷部材５３は、患者Ｍの下側に敷設されるマイナスイオンマット４１上に敷設される部材であり、マイナスイオンマット４１から患者Ｍ側に流れる電流の強さを微調整するための布製のシート状部材から成る。そのマイナスイオン調整用敷部材５３は、具体例を挙げると、１〜２枚程度のアクリル製等の毛布、１〜３枚程度の木綿製のタオルケット、あるいは、ポリエステル等の合成繊維と銅等の導電性金属繊維とから成る１〜３枚の導電性のシーツ（敷布）から成る。
【００５１】
かかる構成によれば、マイナスイオン調整用敷部材５３は、このようにマイナスイオンマット４１の上に適宜な枚数を敷設することにより、それぞれ患者Ｍに合った強度の電流が流れるように微調整することができると共に、患者Ｍの人体内に入るマイナスイオンの量を微調整することができる。
【００５２】
カバー用敷部材５４は、マイナスイオンマット４１の上面を覆うように敷設されるカバーである。カバー用敷部材５４は、例えば、木綿製等の布から成るフラットシーツ等のシーツである。
【００５３】
＜イオンパッド及びベルト＞
図８に示すように、イオンパッド４２は、患者Ｍの人体に被着させてマイナスイオン（陰イオン）を生体に与えることによって、血液を弱アルカリ性に是正して、自律神経機能のアンバランスを調整し、疲労した細胞を正常化して心身を健康する、いわゆる、「電子負荷療法（負電荷療法）」といわれている治療を行うのに使用される市販の金属導子またはゴム導子から成る複数の導子４２ａから主に構成されている。イオンパッド４２は、導子４２ａと、導子４２ａを覆う導電性導子カバー４２ｂと、導電性導子カバー４２ｂを覆う通電調整用導子カバー４２ｃと、を備えて構成されている。各イオンパッド４２は、それぞれマイナスイオンを発生する各電位発生器４３のアース端子、各コード、マイナスイオンマット４１を介して接地され、電位発生器４３から予め設定された電圧（電位）の電流が供給されるようになっている。イオンパッド４２は、患者Ｍの胸部Ｍｂ、腹部Ｍｃ、左右の手部Ｍｄ、左右の足部Ｍｅ等の治療したい箇所に当てて、着脱自在な面ファスナーを備えた布製のベルト４５を巻き付けて拘束状態にすることによって、人体に取り付けられる。イオンパッド４２及びベルト４５の数は、少なくとも、６つであり、６つ以上の数であっても、６つ以下であっても構わない。
【００５４】
なお、イオンパッド４２を６つ以上に増設した場合は、増設した分のイオンパッド４２を筋肉痛や、痛みがある箇所や、具合の悪い箇所を治療したり、痛みを和らげたりするための専用のパッドにしてもよい。また、増設した予備のイオンパッド４２は、心臓、肺、胃、腸、腎臓等の臓器がある部位の皮膚に密着させるようにして配置すれば、それらの臓器の治療に使用することもできる。
【００５５】
導電性導子カバー４２ｂは、導電性繊維から成る布を袋状に縫製して形成された導子収納袋であり、四角形の巾着袋のように形成されている。導電性導子カバー４２ｂの開口部には、開口部から導子４２ａが落下するのを防止するベルト状部材が設けられている。
通電調整用導子カバー４２ｃは、導子４２ａを収納した導電性導子カバー４２ｂを収納する木綿等の非導電性繊維の布縫製した袋状のカバーである。この通電調整用導子カバー４２ｃは、導電性導子カバー４２ｂと同様な形状をしている。
【００５６】
＜電位発生器＞
図１に示すように、電位発生器４３は、マイナスイオンを生成する装置であって、イオンパッド４２に３００〜６００Ｖ程度（例えば、３００Ｖ）の予め設定された電圧の電流を供給する装置である。各電位発生器４３は、マイナスイオン用タイマ部４３ａと、出力調整部４３ｂと、調整スイッチ部４３ｃと、をそれぞれ備えている。電位発生器４３は、例えば、市販の株式会社日本理工医学研究所製の「タカダイオン負電荷治療器ＴＫ−２２１１」から成る。電位発生器４３は、一方側がマイナスイオンマット４１及び各イオンパッド４２に接続され、他方側が制御装置８を介して電源に接続されている。図１及び図２では電位発生器４３の台数を１台に省略して記載しているが、電位発生器４３は、６台のイオンパッド４２の数と、１台のマイナスイオンマット４１との数と、を加算して合計７台設けられて、１つのイオンパッド４２及びマイナスイオンマット４１に対して１台ずつ設けられている。各電位発生器４３には、それぞれ接地用のアース部材が設けられている。
【００５７】
マイナスイオン用タイマ部４３ａは、マイナスイオン発生装置４を駆動させる時間を、患者Ｍに病状や、希望する時間に合わせて適宜に調整スイッチ部４３ｃで調整できるようになっている。マイナスイオン用タイマ部４３ａの時間は、例えば、磁気用タイマ部８１の時間と同じで、１５分、３０分、６０分に設定されて、同時に始動して同時に停止される。なお、マイナスイオン用タイマ部４３ａは、マイナスイオンマット４１及びイオンパッド４２をそれぞれ適宜な時間に制御できるようにしてもよく、また、マイナスイオンマット４１、イオンパッド４２を磁気発生装置３の駆動時間よりも、５分〜１０分程度長く駆動するように設定してもよい。
出力調整部４３ｂは、電位発生器４３の電圧を３００〜６００Ｖ程度の内の適宜な値に設定するための調整部位である。電圧は、通常、装置全体が３００Ｖに一定に保たれている。そして、電圧は、患者Ｍの要望や病状等によって適宜な値に上げてもよい。
調整スイッチ部４３ｃは、マイナスイオン用タイマ部４３ａの時間を調整したり、電源をＯＮ，ＯＦＦしたりするためのスイッチである。
【００５８】
≪患者が身に付ける衣類≫
図８に示すように、患者Ｍは、磁気マイナスイオン治療システム１で治療する際に、地肌側に非導電性衣類９Ａを着けて、その上に導電性衣類９Ｂを身に着けて、全身を覆った状態で磁気マイナスイオン治療システム１によって治療する。
【００５９】
＜非導電性衣類＞
非導電性衣類９Ａは、患者Ｍが磁気マイナスイオン治療システム１で治療する際に、地肌側に着ける衣類であり、木綿製等の一般的な非通電性の繊維の衣類から成る。非導電性衣類９Ａは、患者Ｍの皮膚に対して隙間なく密着するように縫製されている。非導電性衣類９Ａは、長袖下着９Ａ１と、股引状下着９Ａ２と、覆面９Ａ３と、手袋９Ａ４と、靴下９Ａ５と、を備えて構成されている。非導電性衣類９Ａは、非導電性の布を縫製して形成されて、患者Ｍの全身を覆うことにより、マイナスイオンマット４１及びイオンパッド４２から患者Ｍの体内に入る電流を低減させて、各患者Ｍの皮膚等に合ったマイナスイオンの強度に微調整するためのものである。
【００６０】
長袖下着９Ａ１は、長袖の下着であって、袖が手首を完全に覆うように長く形成されている。
股引状下着９Ａ２は、下端が足首を完全に覆うように長く形成された股引である。なお、股引状下着９Ａ２の下には、木綿製等に一般的な繊維から成るパンツを着けてもよい。
覆面９Ａ３は、患者Ｍの左右の目と、口とに合わせた開口９Ａ３ａをそれぞれ有して患者Ｍの顔を覆うと共に、患者Ｍの首、及び、左右の肩を覆う肩宛部９Ａ３ｂを有する覆面である。覆面９Ａ３は、例えば、木綿製のタオル地の布で形成されている。覆面９Ａ３の開口９Ａ３ａの大きさは、人の目や口と同程度の大きさか、あるいは、人の目や口の大きさよりも小さく形成したものでもよい。
【００６１】
患者Ｍの左右の手部Ｍｄに被着させて手部Ｍｄを覆う手袋９Ａ４、及び、患者Ｍの左右の足部Ｍｅに被着させて覆う靴下９Ａ５は、各指を入れる部分がそれぞれあるタイプものであっても、指をまとめて入れるようにしたタイプのものであっても、どちらでもよい。手袋９Ａ４及び靴下９Ａ５は、この手袋９Ａ４及び靴下９Ａ５内に挿入したイオンパッド４２を患者Ｍの手部Ｍｄや足部Ｍｅに固定するための手段として使用しもよい。この場合、ベルト４５は、患者Ｍの手部Ｍｄ及び足部Ｍｅに付着させたイオンパッド４２が、位置ズレしたり、脱落したりするようなときに、パッド用保持部材として使用すればよく、必ず使用しなければならないものではない。
【００６２】
＜導電性衣類＞
図８に示すように、導電性衣類９Ｂは、患者Ｍが磁気マイナスイオン治療システム１で治療する際に、非導電性衣類９Ａの上に身に付ける通電性の衣類である。導電性衣類９Ｂは、患者Ｍが被着した非導電性衣類９Ａに対して隙間なく密着するように縫製されている。導電性衣類９Ｂは、導電性衣服９Ｂ１と、導電性覆面９Ｂ２と、導電性手袋９Ｂ３と、導電性靴下９Ｂ４と、から成る。導電性衣類９Ｂは、マイナスイオンマット４１及びイオンパッド４２から患者Ｍ側に流れる負電荷と、磁気発生装置３から発生した磁気と、を患者Ｍの体内に入り易くするという機能がある。このため、導電性衣服９Ｂ１は、フード９Ｂ１ａ付きの導電性衣服９Ｂ１と、導電性覆面９Ｂ２と、導電性手袋９Ｂ３と、導電性靴下９Ｂ４とによって患者Ｍの全身を覆うことによって、体全体にムラ無くマイナスイオンを浸透し易くしている。
導電性衣類９Ｂは、ポリエステル等の合成繊維と、銅、ニッケル、ステンレス鋼等の導電性金属繊維と、から成る導電性の布を縫製して作られた衣類である。この他、導電性衣類９Ｂは、合成繊維に導電性の良好な金属や黒鉛を均一に分散させたもの、あるいは、有機物繊維の表面に金属を被覆したものあっても構わない。
【００６３】
導電性衣服９Ｂ１は、上衣と下衣が一体のつなぎから成り、非導電性の覆面９Ａ３及び導電性覆面９Ｂ２を着けた患者Ｍの頭部Ｍａ、及び首を覆うフード９Ｂ１ａを有している。導電性衣服９Ｂ１は、長袖下着９Ａ１及び股引状下着９Ａ２と同様に、袖が手首を完全に覆うように長く形成されると共に、下端が足首を完全に覆うように長く形成されている。
なお、導電性衣服９Ｂ１は、少なくとも、上衣部分と下衣部分が連続した衣服であればよい。また、導電性衣服９Ｂ１は、具体例を挙げると、特殊導電糸で作った株式会社ＭＣＣ製の「超制電クリーンスーツ（ＩＥＣ（International Electrotechnical Commission）規格対応クリーンスーツ）」や、「マスク・フード一体型クリーンスーツ」であっても構わない。
【００６４】
導電性覆面９Ｂ２は、患者Ｍの頭部Ｍａ、首及び肩部に被着させた非導電性の覆面９Ａ３を覆う導電体であり、頭部Ｍａ、首、及び肩部にマイナスイオンを浸透し易くしている。
導電性手袋９Ｂ３は、患者Ｍの左右の手部Ｍｄに被着させた非導電性の手袋９Ａ４を覆う導電体である。
導電性靴下９Ｂ４は、患者Ｍの左右の足部Ｍｅに被着させた非導電性の靴下９Ａ５を覆う導電体である。
【００６５】
≪トンネル状構造物≫
図１に示すように、トンネル状構造物６は、治療台２の上に仰向けに寝た患者Ｍの全身を空間を介して覆う縦断面視して略逆Ｕ字状の半筒体から成り、患者Ｍの全身に対して正面（上）側から磁気を放射させる多数のトンネル設置磁気発生装置３２を備えている。トンネル状構造物６は、治療台２の左右方向（幅方向）の端部に設けられたレール部２３，２４（図２及び図３参照）の上に、前後方向（長さ方向）に摺動自在に載置された複数のアーチ状分割体６ａから成る。
【００６６】
＜アーチ状分割体＞
図７（ａ）に示すように、アーチ状分割体６ａは、小型アーチ状構造物６１，６２，６３，６４と、小型アーチ状構造物６１〜６４よりも下端部の幅方向の長さが長く、上端部の高さよりも大きく形成された大型アーチ状構造物６５と、から成る。アーチ状分割体６ａは、例えば、４台の小型アーチ状構造物６１〜６４と、１台の大型アーチ状構造物６５との合計５台から成る。大型アーチ状構造物６５は、小型アーチ状構造物６１〜６４に対して、小型アーチ状構造物６１〜６４の外側を跨ぐことができる大きさに形成されて、治療台２の長さ方向に移動自在に配置されている。
【００６７】
なお、小型アーチ状構造物６１〜６４と大型アーチ状構造物６５の数は、適宜変更しても構わない。アーチ状分割体６ａは、磁気マイナスイオン治療システム１で治療する際には、図７（ａ）に示すように、小型アーチ状構造物６１〜６４と大型アーチ状構造物６５とが重なり合わないように前後方向に並べた状態にして使用する。
【００６８】
図７（ｂ）に示すように、アーチ状分割体６ａは、小型アーチ状構造物６１〜６４、または、大型アーチ状構造物６５を治療台２の前後方向（長さ方向）に移動させることによって、患者Ｍがトンネル状構造物６内に出入りする入口６ｂが形成される。患者Ｍは、治療する際に、入口６ｂからトンネル状構造物６内に入り込む、また、トンネル状構造物６内から出る場合、入口６ｂから出る。
【００６９】
＜小型アーチ状構造物及び大型アーチ状構造物＞
図５及び図６に示すように、小型アーチ状構造物６１〜６４及び大型アーチ状構造物６５は、半円筒形状に形成された構造物本体６ｃと、構造物本体６ｃに適宜な間隔で複数形成された磁気発生装置収納部６ｄに収納されたトンネル設置磁気発生装置３２と、各アーチ状分割体６ａを覆うカバー部材６ｉと、を備えて構成されている。小型アーチ状構造物６１〜６４は、５つの磁気発生装置収納部６ｄにそれぞれ収納されたトンネル設置磁気発生装置３２を有している。大型アーチ状構造物６５は、７つの磁気発生装置収納部６ｄにそれぞれ収納されたトンネル設置磁気発生装置３２を有している。
【００７０】
構造物本体６ｃは、複数のトンネル設置磁気発生装置３２を前後方向から見てアーチ状に並べた状態に保持するための部材であり、例えば、木製の平板材を組み立てて成る。構造物本体６ｃは、トンネル設置磁気発生装置３２を側面方向から支持する側板６ｅと、側板６ｅの下面側に設けられてトンネル設置磁気発生装置３２を下側から支持する底板６ｆと、側板６ｅと底板６ｆとで形成された略溝形状の磁気発生装置収納部６ｄ，６ｄ間に介在された連結板６ｇと、をアーチ状に連続して設けて成る。構造物本体６ｃの外周面側及び内周面側は、カバー部材６ｉによって覆われている。
【００７１】
側板６ｅは、溝形状の磁気発生装置収納部６ｄの前側側壁、後側側壁、及び、左右（上下）の側壁を形成する板部材である。
底板６ｆは、左右（上下）の側板６ｅの下端部に固定された板部材である。底板６ｆの中央部には、前後方向に延設された長孔６ｈが形成されている。
【００７２】
連結板６ｇは、略逆Ｕ字状に形成された構造物本体６ｃの中心部から外側へ放射方向に向けて配置された側板６ｅ，６ｅ間に設置されて、磁気発生装置収納部６ｄを連結するように設けられた板部材である。
カバー部材６ｉは、構造物本体６ｃを覆う木綿等の非導電性の布製、または、樹脂製シートから成る。
【００７３】
≪中空体≫
図３及び図４に示すように、中空体７は、複数の頭部用磁気発生装置３３を前後方向から見てアーチ状に並べた状態に保持するための部材であり、患者Ｍの頭部Ｍａを挿入することが可能な大きさの容器形状の部材から成る。中空体７は、治療台２の長手方向の前端部（一端部）側に配置され、例えば、底付円筒形状（略バケツ形状）の樹脂製部材によって形成されている。中空体７は、例えば、６個の頭部用磁気発生装置３３が取り付けられる外周面７ａと、患者Ｍの頭部Ｍａを入れるための開口部７ｂと、を有している。中空体７の前部には、適宜な空間を介して脳天用磁気発生装置３４が配置されている。なお、中空体７内の患者Ｍの頭部Ｍａの下には、タオル、あるいは、枕を介在させてもよい。
【００７４】
≪制御装置≫
図１に示す制御装置８は、磁気発生装置３の駆動時間を制御する磁気用タイマ部８１と、磁気用タイマ部８１の時間を調整したり、電源をＯＮ，ＯＦＦしたりするためのスイッチ部８２と、スイッチ部８２で設定したタイマ時間等と表示する表示部８３と、表示部８３や電位発生器４３等の駆動を制御する制御部８４と、を備えている。
【００７５】
磁気用タイマ部８１は、各磁気発生装置３を駆動させる時間を、患者Ｍに病状や、希望する時間に合わせて適宜にスイッチ部８２で調整できるようになっている。磁気用タイマ部８１及び前記マイナスイオン用タイマ部４３ａは、５分〜１５分単位等で、適宜な時間に設定可能になっている。磁気用タイマ部８１の時間は、一般的に、１５分〜６０分程度に設定して使用される。なお、磁気用タイマ部８１は、治療台設置磁気発生装置３１、トンネル設置磁気発生装置３２、頭部用磁気発生装置３３、脳天用磁気発生装置３４、及び、足部用磁気発生装置３５をそれぞれ適宜な時間に制御できるようにしてもよく、また、磁気発生装置３全体を同時にスタートさせて適宜な同じ時間に停止するようになっている。
【００７６】
スイッチ部８２は、磁気用タイマ部８１の時間を設定させるタイマ時間設定スイッチと、磁気マイナスイオン治療システム１全体をＯＮ，ＯＦＦする電源スイッチと、磁気発生装置３及びマイナスイオン発生装置４を作動させるスタートスイッチと、を備えて成る。
【００７７】
表示部８３は、例えば、スイッチ部８２で設定した時間をデジタル表示する時間表示部と、マイナスイオンマット４１やイオンパッド４２に送る電圧を表示する電圧表示部と、を備えている。
【００７８】
制御部８４は、磁気マイナスイオン治療システム１の各部を制御する部位であり、磁気とマイナスイオンと振動とが同時に発生されるように、磁気発生装置３とマイナスイオン発生装置４と制御する機能を有する。
【００７９】
≪作用≫
次に、各図を参照しながら本発明の実施形態に係る磁気マイナスイオン治療システム及びそれを利用した治療方法の作用を説明する。
【００８０】
まず、患者Ｍは、磁気マイナスイオン治療システム１で治療する前に、まず、図３に示す非通電性の長袖下着９Ａ１と、股引状下着９Ａ２等の下着と皮膚に密着した状態に被着し、その上に導電性衣服９Ｂ１を密着するように被着する。続いて、患者Ｍの頭部Ｍａ、首、及び肩部に非導電性の覆面９Ａ３を被せ、さらにその上に導電性覆面９Ｂ２を被せて頭部Ｍａ、首、及び肩部を二重に覆って眼と口のみを露出させる。その頭部Ｍａに導電性衣服９Ｂ１のフード９１ａを被せる。患者Ｍの左右の手部Ｍｄには、非導電性の手袋９Ａ４を被せ、さらにその上に導電性手袋９Ｂ３を被せる。患者Ｍの左右の足部Ｍｅには、非導電性の靴下９Ａ５を被せ、さらにその上に導電性靴下９３を被せる。このように患者Ｍは、眼と口以外は肌が露出しないように非導電性衣類９Ａと導電性衣類９Ｂとで全身が覆われた状態になる。
【００８１】
次に、図７（ｂ）に示すように、大型アーチ状構造物６５を後方向、または、前方向に移動させてトンネル状構造物６に入口６ｂを形成する。患者Ｍは、その入口６ｂからトンネル状構造物６内に入り込み、図１及び図２に示すように、治療台２上のマイナスイオンマット４１の上に仰向けの状態に寝て、頭部Ｍａを中空体７内に入れ、足部Ｍｅを足部用磁気発生装置３５の前側に置く。
【００８２】
この場合、磁気マイナスイオン治療システム１は、トンネル状構造物６が、小型アーチ状構造物６１〜６４と、大型アーチ状構造物６５とから成る複数のアーチ状分割体６ａによって構成されていることにより、患者Ｍの身長等に合わせて各アーチ状分割体６ａ（トンネル設置磁気発生装置３２）の位置を長さ方向に移動させて調整することができる。
【００８３】
続いて、図８に示すように、各イオンパッド４２の導子４２ａを、導電性導子カバー４２ｂ内に入れると共に、導電性導子カバー４２ｂを、通電調整用導子カバー４２ｃ内に入れる。イオンパッド４２を、導電性衣服９Ｂ１及び長袖下着９Ａ１内の患者Ｍの臍等の周辺の胸部Ｍｂと、丹田等の腹部Ｍｃと、にそれぞれ被着させる。次に、イオンパッド４２を、左右の手袋９Ａ４及び導電性手袋９Ｂ３内にそれぞれ挿入させて掌等の手部Ｍｄに当てる。また、イオンパッド４２を、左右の導電性靴下９Ｂ４及び靴下９Ａ５内にそれぞれ挿入させて足の裏等の足部Ｍｅにそれぞれ当てる。手部Ｍｄ及び足部Ｍｅにそれぞれ被着させたイオンパッド４２を、手部Ｍｄ及び足部Ｍｅにベルト４５で固定させる。これにより、磁気マイナスイオン治療システム１で患者Ｍを治療する前に行う準備工程である患者Ｍに身に付けさせる非導電性衣類９Ａ及び導電性衣類９Ｂの被着工程と、患者Ｍに付けるイオンパッド４２の取付工程と、が終了する。
【００８４】
なお、イオンパッド４２は、患者Ｍの病状等に合わせて、所望とする治療したい箇所の肌に密着させて取り付ければよく、図２に示す箇所に限定されるものではない。例えば、イオンパッド４２が６個ある場合は、前記したように、６個あるうちの４個を左右の手部Ｍｄと、左右の足部Ｍｅの４箇所に必ず取り付けて、残りの２個を胸部Ｍｂ及び腹部Ｍｃ等の患者Ｍの希望する箇所に取り付けことにより、効果的に治療を行うことができる。
【００８５】
次に、図１に示す制御装置８のスイッチ部８２の電源スイッチをＯＮにすると共に、磁気用タイマ部８１及びマイナスイオン用タイマ部４３ａを操作して、磁気発生装置３及びマイナスイオン発生装置４の駆動時間を、患者Ｍの病状等に合わせた適切な時間や、患者Ｍ等の希望する時間（例えば、３０分から６０分程度）にセットする。
【００８６】
そして、スイッチ部８２のスタートスイッチをＯＮすると、磁気用タイマ部８１及びマイナスイオン用タイマ部４３ａが同時に作動すると共に、磁気発生装置３とマイナスイオン発生装置４が始動する。すると、磁気マイナスイオン治療システム１は、磁気発生装置３から発生される磁気と、マイナスイオン発生装置４から発生されるマイナスイオンとが同時に発生し始める。
【００８７】
そして、治療台設置磁気発生装置３１からは、患者Ｍの背面側全体に向けて磁気と振動とが発生される。トンネル設置磁気発生装置３２からは、患者Ｍの正面側全体に磁気が発生される。頭部用磁気発生装置３３からは、患者Ｍの頭部Ｍａに向けて磁気が発生される。脳天用磁気発生装置３４からは、患者Ｍの頭部Ｍａの脳天に向けて磁気（あるいは、磁気及び振動）が発生される。足部用磁気発生装置３５からは、患者Ｍの左右の足部Ｍｅの裏面に向けて磁気（あるいは、磁気及び振動）が発生される。このようにして、各磁気発生装置３は、患者Ｍの全身の下側、上側、左側及び右側の全周側から患者Ｍに向けて磁気が放出されると共に、患者Ｍの身体に接触している治療台設置磁気発生装置３１（脳天用磁気発生装置３４及び足部用磁気発生装置３５）から患者Ｍに振動が伝えられる。
【００８８】
これと同時に、制御装置８から電位発生器４３に電流が供給されると、電位発生器４３で生成されたマイナスイオンが、マイナスイオンマット４１から患者Ｍの背面側の全身内に注入される。また、制御装置８から電位発生器４３に電流が供給されると、電位発生器４３で生成されたマイナスイオンが、各イオンパッド４２から患者Ｍの胸部Ｍｂ、腹部Ｍｃ、左右の手部Ｍｄ、及び、左右の足部Ｍｅ内に注入される。
【００８９】
この場合、マイナスイオンマット４１の上部には、適宜な枚数のマイナスイオン調整用敷部材５３と、カバー用敷部材５４とが敷設されていることによって、各患者Ｍに合ったマイナスイオンの強度に微調整することができる。また、各イオンパッド４２は、各導子４２ａが導電性導子カバー４２ｂと通電調整用導子カバー４２ｃとで覆われているので、マイナスイオンの強度に微調整することができる。また、非導電性衣類９Ａは、厚さ、枚数を変更したり、弱通電性の材質のものに変更したりすることによって、各患者Ｍに合ったマイナスイオンの強度に微調整することもできる。
【００９０】
マイナスイオン発生装置４は、患者Ｍの身体内にマイナスイオンを放出することによって、血液の血清中のグロブリンにマイナスイオンが作用すると、血液がマイナスイオン化されて、細胞を活性化させることができる。また、マイナスイオン発生装置４は、マイナスイオンを生体に与えることにより、血液中のｐＨを調整して、活性酸素によって酸性化された器官や組織の活性酸素を分解、消去する還元反応で、弱アルカリ性に是正させることができる。
このようなことからマイナスイオン発生装置４は、脳、器官、臓器、骨髄、筋肉等の身体全体における組織の新陳代謝の改善、促進効果、老化及び病気の防止改善に効能作用がある。（文献名：「細胞活性がなかなか治らなかった病気を改善する！」、著者：寺沢充夫、発行所：株式会社ごま書房新社、発行日:２０１１年９月７日）
【００９１】
このように、磁気マイナスイオン治療システム１は、磁気発生装置３によって発生される磁気（あるいは、磁気及び振動）と、マイナスイオン発生装置４によって発生されるマイナスイオンとを、同時に発生させて患者Ｍを治療することにより、相乗効果が発揮されるため、従来の磁気治療装置、及び、マイナスイオン治療装置よりも、さらに、治療効果を向上させて効くようにすることができる。
【００９２】
また、図１に示すように、磁気マイナスイオン治療システム１は、マイナスイオンマット４１上に仰向け等の状態で寝た患者Ｍに対して、マイナスイオンマット４１からマイナスイオンを与えると同時に、治療台設置磁気発生装置３１から発生された磁気を与えている。このため、磁気マイナスイオン治療システム１は、マイナスイオンと磁気と振動との相乗効果で、従来の磁気治療装置、及び、マイナスイオン治療装置よりもさらに効果がある治療を行うことができる。また、磁気マイナスイオン治療システム１は、治療台設置磁気発生装置３１上に仰向け等の状態で寝た患者Ｍに対して、治療台設置磁気発生装置３１から磁気と振動を与えることによって、特に、肩こり、筋肉疲労等の早期回復に効果があることが確認されている。
【００９３】
また、磁気マイナスイオン治療システム１は、トンネル状構造物６が縦断面視して略逆Ｕ字形状に形成されていることにより、治療台２上の仰向け等の状態で寝た患者Ｍの全身を覆うように配置して、トンネル状構造物６に設けたトンネル設置磁気発生装置３２によって、患者Ｍの全身に密度の高い磁気を放出して治療を行うことができる。
【００９４】
また、磁気マイナスイオン治療システム１は、治療台設置磁気発生装置３１の上に仰向け等の状態で寝た患者Ｍが、頭部Ｍａを中空体７の中に入れて頭部用磁気発生装置３３を駆動させると共に、頭部Ｍａの脳天側に配置された脳天用磁気発生装置３４を駆動させることにより、頭部用磁気発生装置３３と脳天用磁気発生装置３４から発生された磁気が増幅されると共に、磁気の密度が濃くてムラがないため、効率よく患者Ｍの頭部Ｍａを治療することができる。脳天用磁気発生装置３４は、脳卒中の治療に使用する場合、振動タイプのマグネタイザー（登録商標）を使用すると、更に効果があることが確認されている。なお、脳天用磁気発生装置３４として振動タイプのマグネタイザー（登録商標）を使用する場合は、中空体７の下に複数のタオル等のクッション材を敷くなどして、脳天用磁気発生装置３４から頭部Ｍａに伝わる振動を抑制して調整する。
【００９５】
また、磁気マイナスイオン治療システム１は、治療台２上に仰向け等の状態で寝た患者Ｍの足部Ｍｅが、足部Ｍｅの裏側にある足部用磁気発生装置３５からの磁気と、足部Ｍｅに取り付けたイオンパッド４２からのマイナスイオンと、足部Ｍｅの上方にあるトンネル設置磁気発生装置３２からの磁気と、足部Ｍｅの下側にあるマイナスイオンマット４１及び治療台設置磁気発生装置３１からのマイナスイオン及び磁気と、による相乗効果によって、効率よく足部Ｍｅを治療することができる。また、足部用磁気発生装置３５は、患者Ｍの足部Ｍｅに接触した状態に配置して、振動タイプのマグネタイザー（登録商標）を使用することによって、さらに効果的な治療を行うことが可能である。
【００９６】
このように磁気マイナスイオン治療システム１は、磁気発生装置３と、マイナスイオン発生装置４と、から構成されている。磁気（あるいは、磁気及び振動）を発生させる磁気発生装置３は、治療台設置磁気発生装置３１と、トンネル設置磁気発生装置３２と、頭部用磁気発生装置３３と、脳天用磁気発生装置３４と、足部用磁気発生装置３５と、から構成されて患者Ｍの周囲全体に配置されている。マイナスイオンを発生させるマイナスイオン発生装置４は、患者Ｍの頭部Ｍａ、胸部Ｍｂ、腹部Ｍｃ、左右の手部Ｍｄ、及び左右の足部Ｍｅに配置されたイオンパッド４２と、患者Ｍの下面全体に敷設されたマイナスイオンマット４１と、から構成されている。このため、磁気発生装置３とマイナスイオン発生装置４とは、患者Ｍの略体全体に配置されているので、全身にムラ無く磁気とマイナスイオンとを高密度に与えることができるため、治療効果を向上させることができる。
【００９７】
この場合、治療台２に載る患者Ｍは、導電性衣服９Ｂ１、導電性覆面９Ｂ２、導電性手袋９Ｂ３、及び導電性靴下９Ｂ４を被着した状態で、磁気発生装置３とマイナスイオン発生装置４とによる磁気と振動とマイナスイオンとによる治療を受ける。導電性衣類９Ｂは、フード９Ｂ１ａを有する導電性衣服９Ｂ１と、導電性覆面９Ｂ２と、導電性手袋９Ｂ３と、導電性靴下９Ｂ４とから成るので、患者Ｍの眼及び口以外の全身を覆っているため、マイナスイオン及び磁気が、患者Ｍの全身に注入されて吸収され易くなっている。このため、導電性衣類９Ｂは、マイナスイオンと磁気の人体への吸収性を向上させることができる。また、患者Ｍの頭部Ｍａは、非導電性の覆面９Ａ３と、導電性覆面９Ｂ２とで眼及び口以外の顔全体を適宜な導電性部材で覆っていることによって、美容効果もある。また、非導電性の覆面９Ａ３、導電性覆面９Ｂ２、及びフード９Ｂ１ａで患者Ｍの頭部Ｍａを覆うことによって、髪の毛を覆っているため、髪の毛にも治療効果がある。
【００９８】
また、磁気マイナスイオン治療システム１を利用した治療方法は、磁気発生装置３とマイナスイオン発生装置４とが同時に始動して、予め設定した時間後に同時に停止するが、患者Ｍの病状や、患者Ｍの要望等により、磁気発生装置３の磁気（あるいは、磁気及び振動）と、マイナスイオン発生装置４のマイナスイオンとを同時に発生させてから、マイナスイオンの方を磁気よりも長時間（例えば、一般的な設定時間（６０分）の一割（６分）程度）に亘って発生させてもよい。マイナスイオンの発生時間を磁気（あるいは、磁気及び振動）の発生時間よりも長くすることによって、治療効果を向上させることができる。特に、この治療方法は、酸化の激しい患者Ｍに有効である。
【００９９】
このようにして磁気マイナスイオン治療システム１で患者Ｍを治療することにより、次のような健康効果及び治療効果があることが確認されている。
磁気発生装置３に磁力によっては、血流血行促進、脳卒中の回復、心臓病の回復、糖尿病の回復、リウマチの回復、高血圧の回復、肺気腫の回復、自立神経失調症の改善、睡眠障害の改善があることが確認されている。
また、マイナスイオン発生装置４によっては、不眠症、頭痛、肩こり、便秘、筋肉痛、神経痛、脳軟化症、顔面神経麻痺、関節炎、白内障、脳梗塞後遺症、各種ガンの治癒、肺気腫等に効果があることが確認されている。
【０１００】
このように、磁気マイナスイオン治療システム１は、磁気発生装置３による磁気と、マイナスイオン発生装置４によるマイナスイオンとを、同時に発生させて患者Ｍを治療することにより、磁気の効果とマイナスイオンの効果とを相乗させることができるため、治療効果を倍増以上に発揮させることができる。また、磁気マイナスイオン治療システム１は、振動タイプのマグネタイザー（登録商標）を使用した場合、さらに、治療効果を向上させることができる。
【０１０１】
≪変形例≫
なお、本考案は、前記実施形態に限定されるものではなく、その技術的思想の範囲内で種々の改造及び変更が可能であり、本考案はこれら改造及び変更された考案にも及ぶことは勿論である。
【０１０２】
例えば、前記実施形態では、図１に示す中空体７の内部底面に直接患者Ｍの頭部Ｍａを置く場合を例に挙げて説明したが、中空体７の内部下面に、不図示のタオルあるいは枕を配置してもよい。このようにすれば、タオルあるいは枕が、患者Ｍの頭部Ｍａに対してクッション材となるため、長時間に亘って治療を行っても患者Ｍが頭部Ｍａに違和感がなく、楽な姿勢で治療を受けることができる。
【０１０３】
また、中空体７の外側下面と、中空体７の外側前面（脳天用磁気発生装置３４側の外面）には、治療台設置磁気発生装置３１と脳天用磁気発生装置３４とから中空体７を介在して患者Ｍに伝達される振動を緩和させるためのタオル等のクッション材を配置してもよい。
また、中空体７は、全体に多数の通気孔を設けて空気の流動性を向上させて、中空体７の内外の空気を入れ換え可能にしてもよい。
【０１０４】
また、絶縁マット５とマイナスイオンマット４１とは、前記実施形態では別体の場合を説明したが、接着剤等で接着するなどして一体化したものであってもよい。
また、絶縁マット５とマイナスイオンマット４１とを一体にしたマット、あるいは、それぞれが別体のマットは、袋状のシーツやフラットシーツ等のシーツで覆ってもよい。
【０１０５】
また、イオンパッド４２は、前記シーツを同じ生地の布を袋状に縫製して成るカバー部材で覆ってもよい。このようにすれば、イオンパッド４２が患者Ｍの皮膚に直接触れるのを防止して、ピリピリ感が無い適度な感触にすることができる。
【０１０６】
また、前記実施形態のイオンパッド４２は、図８に示す１つの矩形の板状の導子４２ａ（金属導子またはゴム導子）を矩形の導電性導子カバー４２ｂ及び通電調整用導子カバー４２ｃ内に入れて使用する場合を説明したが、帯のように長く形成した袋状の導電性のカバー部材内に、２〜３枚の導子４２ａを長手方向に連続して配置したベルト状のものであってもよい。また、イオンパッド４２は、風呂敷状（長方形）の導電性のカバー部材の上に２〜３枚の導子４２ａを長手方向に連続して配置して、４つ折りにして包んで帯状にしたものであってもよい。
イオンパッド４２は、このようにベルト状あるいは帯状にして、患者Ｍの首、腰、胴体、足首、手首等に巻き付けた状態で取り付けてもよい。
また、そのベルト状あるいは帯状のイオンパッド４２は、伸縮自在な布製の伸縮バンドから成る市販の導子を使用したものであってもよい。
【０１０７】
前記実施形態では、患者Ｍの顔に、左右の眼と口とを露出させる開口９Ａ３ａを有する覆面９Ａ３及び導電性覆面９Ｂ２が被せて、眼及び口以外の全身を非導電性衣類９Ａと、導電性衣類９Ｂとで覆う場合を説明したが、患者Ｍの全身を完全に覆ってもよい。
その場合、眼には、織目の大きい木綿製等の非導電性のガーゼを介在させて、織目の大きい導電性の繊維で縫製したアイマスクで両眼を覆う。
また、口及び鼻には、織目の大きい木綿製等の非導電性のガーゼを介在させて、隙間なく織目の大きい導電性の繊維で縫製したマスクで覆う。マスクは、鼻及び口に隙間なく密着するように顔の形状にフィットしたものを使用する。
このように、眼、口及び鼻にも非導電性の繊維で縫製したガーゼを当てて、その上に導電性の繊維で縫製したアイマスク及びマスクで、隙間なく覆うことによって、患者Ｍの全身を漏れることなく非導電性衣類９Ａと導電性衣類９Ｂとで密着した状態で隙間なく全身を覆うことができる。このため、マイナスイオン及び磁気をさらに身体内に入り易くすることができる。
特に、眼、口及び鼻を非導電性衣類９Ａと導電性衣類９Ｂとで密着させた状態で覆ってマイナスイオン及び磁気を供給することにより、マイナスイオンが眼、口及び鼻にも入るため、眼、口、鼻及び気管支の病気や、皮膚の病気や、美容に対して効果がある治療を行うことができる。
【０１０８】
また、図１及び図４に示す足部用磁気発生装置３５を保持する足部用磁気発生装置支持部材２７は、治療台２上に、前後方向に移動可能に設けてもよい。例えば、足部用磁気発生装置３５は、ゴムロープや、樹脂製ばね等の弾性部材を足部用磁気発生装置支持部材２７と枠板２８との間に介在させることによって、前側に自動戻りするようにし、患者Ｍが足部Ｍｅで押圧すれば、身長に合わせて後側に位置をズラせるようにしてもよい。
また、足部用磁気発生装置３５及び足部用磁気発生装置支持部材２７は、ロープや紐を取り受けて、患者Ｍがロープや紐を引くことで、前方向（患者Ｍ側）に移動して位置調整できるようにしてもよい。
【０１０９】
また、図１に示す構造物本体６ｃ、基台２２、仕切板２２ｃ（図３参照）、脳天用磁気発生装置支持部材２６、及び、足部用磁気発生装置支持部材２７は、非導電性の木材以外に、非導電性の合成樹脂によって形成したものであっても構わない。
【０１１０】
また、トンネル状構造物６は、アーチ状分割体６ａを上下方向に移動自在にしてもよい。
この場合、トンネル状構造物６は、例えば、アーチ状分割体６ａをクレーン等の昇降装置で上下動させて治療台２上に載置する。
【０１１１】
また、トンネル状構造物６は、アーチ状分割体６ａの左右の一端部を中心としてアームのように回動自在にしたりするようにしてもよい。
この場合、トンネル状構造物６は、アーチ状分割体６ａの左右方向の一端部に蝶番を設けて基台２２に連結し、モータ駆動回動装置、油圧駆動回動装置等の自動駆動回動装置、あるいは、手動でアーチ状分割体６ａが蝶番を中心として回動するようにする。
【０１１２】
トンネル状構造物６は、このように昇降装置や自動駆動回動装置によって、アーチ状分割体６ａが上昇したり、回動したりするようにすれば、移動したアーチ状分割体６ａによって、患者Ｍがトンネル状構造物６内に出入りする入口を形成することができる。
【０１１３】
また、トンネル状構造物６の各小型アーチ状構造物６１〜６４と大型アーチ状構造物６５とは、一体にしてトンネル状構造物６を一台にしてもよい。特に、トンネル状構造物６は、昇降装置や、自動駆動回動装置を備えている場合、アーチ状分割体６ａを一台にすれば、一度にアーチ状分割体６ａを上昇または回動させることができる。
【０１１４】
また、磁気マイナスイオン治療システム１において、磁気発生装置３は、少なくとも治療台設置磁気発生装置３１があればよく、トンネル設置磁気発生装置３２、頭部用磁気発生装置３３、脳天用磁気発生装置３４、及び足部用磁気発生装置３５を取り外した構成であってもよい。この場合は、マイナスイオン発生装置４の導子４２ａに接続されたコードを長くし、治療台２上の患者Ｍが自由に動けるようにして、患者Ｍが手、足を上げ下げしたり、胴体を捩じったり、上半身を起こしたり、立ち上がったり、寝転んだりして、体操するように体を動かしながら治療台設置磁気発生装置３１とマイナスイオン発生装置４で治療することによって、回復力や、リハビリ的な効果をさらに向上させることができる。
前記コードは、例えば、６つの各イオンパッド４２に接続された６本の導子接続用コードと、１本の接地用のアースコードとの合計７本から成る。７本のコードは、患者Ｍが着る導電性衣服９Ｂ１の首の部分から導電性衣服９Ｂ１内に挿入されて、各コードの先端に接続された導子４２ａが、それぞれの患部に配置されるように配線されている。
【０１１５】
また、磁気マイナスイオン治療システム１は、治療台２及びトンネル状構造物６を縦に立てた状態に設置して、治療台２とトンネル状構造物６とから成る空洞内に、導電性衣類９Ｂを着た患者Ｍが立った状態で治療してもよい。
この場合は、頭部用磁気発生装置３３、脳天用磁気発生装置３４、及び足部用磁気発生装置３５を取り外し、トンネル設置磁気発生装置３２の大型アーチ状構造物６５を下側に配置して、小型アーチ状構造物６１〜６４を上側に積設させ、さらに、トンネル状構造物６の空洞内の下端部に患者Ｍの足部Ｍｅを上下、前後、左右方向等に往復動させる「ステッパー」等の運動器を配置して、患者Ｍを運動させながら磁気発生装置３の磁気と、マイナスイオン発生装置４のマイナスイオンとで、患者Ｍを治療することが望ましい。
【０１１６】
また、この場合、磁気マイナスイオン治療システム１は、患者Ｍの頭部Ｍａ、胸部Ｍｂ、腹部Ｍｃ、左右の手部Ｍｄ、左右の足部Ｍｅ等に、アルファ波（８〜１４Ｈｚ）の周波数のパルス電流を体内に流すアルファコイル装置のアルファコイルを取り付けて、パルス磁気を流して併用することによって、さらに、治療効果を向上させることができる。
【０１１７】
また、磁気マイナスイオン治療システム１に併用されるアルファコイル装置は、平面巻きのアルファを患者Ｍの患部の左右等の対称的な二箇所に貼ってパルス磁気を放射させることによって、例えば、詰まった血管の詰まった状態を解消させて元の正常な状態に戻すのに利用することができる。また、アルファコイル装置は、頭部Ｍａ、心臓、内臓等で血管が細くなっている箇所を、早急に拡径させて広げたい場合に利用すると有用である。
【０１１８】
また、磁気マイナスイオン治療システム１は、超短波治療器を併用してもよい。この場合、超短波治療器は、導子を患者Ｍの患部の前後あるいは左右の対称な二箇所に貼って電波を流すことによって、縮んだ血管を拡げて血行をよくしたり、結石を分解して尿等の流れを良好にしたりするなどの効果がある。
【符号の説明】
【０１１９】
１      磁気マイナスイオン治療システム
２      治療台
３      磁気発生装置
４      マイナスイオン発生装置
６      トンネル状構造物
６ａ    アーチ状分割体
６ｂ    入口
７      中空体
７ａ    外周面
７ｂ    開口部
８      制御装置
９Ｂ    導電性衣類
２３，２４  レール部
２７    足部用磁気発生装置支持部材
３１    治療台設置磁気発生装置（磁気発生装置）
３２    トンネル設置磁気発生装置（磁気発生装置）
３３    頭部用磁気発生装置（磁気発生装置）
３４    脳天用磁気発生装置（磁気発生装置）
３５    足部用磁気発生装置（磁気発生装置）
４１    マイナスイオンマット
５２    絶縁マット
６１，６２，６３，６４  小型アーチ状構造物
６５    大型アーチ状構造物
Ｍ      患者
Ｍａ    頭部
Ｍｅ    足部
【図１】
2016031090.tif 000003
【図２】
2016031090.tif 000004
【図３】
2016031090.tif 000005
【図４】
2016031090.tif 000006
【図５】
2016031090.tif 000007
【図６】
2016031090.tif 000008
【図７】
2016031090.tif 000009
【図８】
2016031090.tif 000010
【国際調査報告】
2016031090.tif 000011
2016031090.tif 000012
2016031090.tif 000013
2016031090.tif 000014
2016031090.tif 000015
2016031090.tif 000016